(57)【特許請求の範囲】
【請求項１】
内刃と、この内刃と重畳するように設けられた外刃と、これらの内刃と外刃とを相対移動させる駆動機構とを備えた電動カミソリであって、前記駆動機構が、超音波発信器と、この超音波発信器の振幅方向に一体に連結され、前記超音波発信器の振幅を増幅するホーンとを備え、前記内刃は、ホーンの先端にカプラを介して着脱可能に装着されており、このカプラは、ホーンの先端を挟み込むようにして係合させられる係合片と、この係合片をホーンに圧接させるセットスプリングとを備えていることを特徴とする電動カミソリ。
【請求項２】
前記内刃と前記外刃との間に、揺動軸を中心とした両側に揺動端部を有するリンク片を備えたリンク機構が介装され、前記リンク片の一方の揺動端部に前記内刃が連結され、前記リンク片の他方の端部に前記外刃が連結されていることを特徴とする請求項１に記載の電動カミソリ。
【請求項３】
前記内刃および前記外刃が複数設けられていることを特徴とする請求項１または請求項２の何れかに記載の電動カミソリ。
【発明の詳細な説明】
【技術分野】
【０００１】
本発明は、たとえば髭剃り等に用いられる電動カミソリに係わり、特に、切れ味を向上させた電動カミソリに関する。
【背景技術】
【０００２】
従来、髭剃り等に用いられる電動カミソリとして、特許文献１において提案されるように、内刃と、この内刃と摺動可能に装着された外刃とを備え、前記内刃を電磁石とバネとからなるリニア駆動機構によって往復運動させることにより、内刃を外刃に対して往復摺動させて、これらの内刃と外刃とに入り込んだ髭等を切断するようにした構成が知られている。
【先行技術文献】
【特許文献】
【０００３】
【特許文献１】特開２０１５−２１１５０８号公報
【発明の概要】
【発明が解決しようとする課題】
【０００４】
ところで、前述した従来の技術では、内刃を往復動させる駆動機構を電磁石とバネとによって構成していることにより、内刃の往復動の回数や速度に限界がある。
【０００５】
このために、内刃の往復動の折り返し位置における速度が大幅に低下し、切れ味が低下することが想定される。
【０００６】
また、髭等を切断する際の速度が低いため、内刃や外刃にかかる抵抗が大きく、これによって、内刃や外刃の摩耗が速いといった不具合もある。
【０００７】
本発明は、前述した従来の不具合に鑑みなされたもので、内刃と、この内刃と重畳するように設けられた外刃と、これらの内刃と外刃とを相対移動させる駆動機構とを備えた電動カミソリにおいて、内刃と外刃との相対摺動の回数や速度を極力速めて、切れ味の低下を抑制するとともに、内刃や外刃の摩耗の進行を極力抑制することを解決すべき課題とする。
【課題を解決するための手段】
【０００８】
本発明の電動カミソリは、前述した課題を解決するために、内刃と、この内刃と重畳するように設けられた外刃と、これらの内刃と外刃とを相対移動させる駆動機構とを備えた電動カミソリであって、前記駆動機構が、超音波発信器と、この超音波発信器の振幅方向に一体に連結され、前記超音波発信器の振幅を増幅するホーンとを備えていることを特徴としている。
【０００９】
このような構成とすることにより、超音波発信器によって発生させられた振動が、ホーンによって増幅されて内刃若しくは外刃に伝達されて、これらの内刃と外刃とを、重畳させられた面方向に往復摺動させる。
【００１０】
このように内刃と外刃が相対的に往復動させられている状態において、これらの内刃と外刃とに侵入する髭等が切断される。
【００１１】
ここで、超音波発信器によって発生させられる振動は毎秒２万回であり、したがって、内刃と外刃との相対速度が高速となる。
【００１２】
この結果、髭等の切断速度が高まって切れ味がよくなり、また、切断時の抵抗が低減されて、この点からも切れ味が向上する。
かつ、切断時の抵抗が低減されることにより、内刃や外刃の摩耗が軽減され、これによって、外刃や内刃の長寿命化が図られ、これらの交換頻度が少なくなる。
【００１３】
一方、超音波発信器によって発生させられる振動の振幅が、ホーンによって増幅されて内刃若しくは外刃に伝達される。
【００１４】
これによって、内刃若しくは外刃の往復動の距離が長くなる。
内刃若しくは外刃の往復動の距離が長くなると、髭等の切断領域が広がって、髭等の切断効率が向上する。
【００１５】
前記駆動機構は、前記内刃と前記外刃の何れか一方に連結することができる。
【００１６】
また、前記内刃と前記外刃との間に、揺動軸を中心とした両側に揺動端部を有するリンク片を備えたリンク機構を介装し、前記リンク片の各揺動端部に内刃と外刃をそれぞれ連結する構成とすることもできる。
【００１７】
このような構成とすることにより、内刃と外刃の両方を相互に逆向きに相対移動させて、これらの相対移動速度がさらに高められる。
【００１８】
さらに、前記内刃および前記外刃を複数設けることも可能である。
このような構成とすることにより、その切断領域が広がり切断効率が向上する。
【発明の効果】
【００１９】
本発明によれば、内刃と外刃との相対摺動の回数や速度を極力速めて、切れ味の低下を抑制するとともに、内刃や外刃の摩耗の進行を極力抑制することができる。
【図面の簡単な説明】
【００２０】
【図１】本発明の第１の実施形態を示す正面図で、（ａ）は組み立てた状態を示し、（ｂ）は一部を分解した状態を示す。
【図２】本発明の第１の実施形態における内刃と駆動機構との連結構造を示すもので、（ａ）は一部断面正面図、（ｂ）は平面図、（ｃ）は変形例の一部断面正面図、（ｄ）は（ｃ）の組み立てた状態の図である。
【図３】本発明の第１の実施形態を示すもので、駆動機構の概略図である。
【図４】本発明の第２の実施形態を示す要部の縦断面図である。
【図５】本発明の第３の実施形態を示す平面図である。
【発明を実施するための形態】
【００２１】
以下、本発明の第１の実施形態について、図面を参照して説明する。
図１において、符号１は、本実施形態に係わる電動カミソリを示す。
【００２２】
この電動カミソリ１は、図１に示すように、内刃２と、この内刃２と面接触状態で重畳するように設けられた外刃３と、これらの内刃２と外刃３とを相対移動させる駆動機構Ｇとを備え、前記駆動機構Ｇが、超音波発信器４と、この超音波発信器４の振幅方向に一体に連結され、超音波発信器４の振幅を増幅するホーン５とを備えている。
【００２３】
前記駆動機構Ｇは、有底円筒状のケーシング６内にゴム等の振動吸収材７を介して装着されている。
【００２４】
このケーシング６の底部には、超音波発信器４に駆動電力を供給する蓄電池８が内装されているとともに、先端の開口部には、外刃３が装着された先端カバー９が装着されている。
【００２５】
前記先端カバー９は筒状に形成され、ケーシング６の開口部に形成されている係止爪６ａを介してケーシング６に着脱可能に装着される大径の基部９ａと、この基部９ａから軸線方向に伸びる小径の刃装着部９ｂを備えている。
【００２６】
前記内刃２は、ホーン５の先端にカプラ１０を介して着脱可能に装着されており、ケーシング６の開口部から突出させられるとともに、このケーシング６に装着される刃装着部９ｂ内に挿入されるようになっている。
【００２７】
前記内刃２は、刃装着部９ｂ内に挿入された状態において、この刃装着部９ｂの側面に取り付けられている外刃３に、面接触状態で重畳させられるようになっている。
【００２８】
前記カプラ１０は、図２（ａ）に示すように、ホーン５の先端に形成されている環状の係止溝５ａに、ホーン５を挟み込むようにして係合させられる係合片１０ａと、この係合片１０ａをホーン５に圧接させるセットスプリング１１とを備えており、係合片１０ａを係止溝５ａに、ホーン５の径方向から係合させることによって、図２（ａ）および（ｂ）に示すように、内刃２が駆動機構Ｇに装着される。
【００２９】
そして、前記駆動機構Ｇの超音波発信器４において起振される振動はホーン５の先端部へ向けて伝達されるが、その振幅が、図３に矢印（イ）（ロ）（ハ）で示すように徐々に増幅され、ホーン５先端において最大となる。
【００３０】
このように構成された本実施形態の電動カミソリ１は、超音波発信器４によって発生させられた振動が、ホーン５によって増幅されて内刃２に伝達されることにより、この内刃２を外刃３に対して重畳させられた面方向に往復摺動させる。
【００３１】
このように内刃２と外刃３が相対的に往復動させられている状態において、これらの内刃２と外刃３とに侵入する髭等が切断される。
【００３２】
ここで、超音波発信器４によって発生させられる振動は毎秒２万回程度であり、したがって、内刃２と外刃３との相対速度を高速とすることができる。
【００３３】
この結果、髭等の切断速度を高め、また、切断時の抵抗を低減することにより切れ味を向上させることができる。
【００３４】
かつ、切断時の抵抗を低減することにより、内刃２や外刃３の摩耗を軽減することができるので、これによって、外刃２や内刃３の長寿命化を図り、これらの交換頻度を少なくすることができる。
【００３５】
一方、超音波発信器４によって発生させられる振動の振幅をホーン５によって増幅することができ、これによって、内刃２の往復動の移動距離を長くすることができる。
【００３６】
このように、内刃２の往復動の距離が長くすることにより、内刃２および外刃３による切断領域を広げることができるので、髭等の切断効率を向上させることができる。
【００３７】
図２（ｃ）および（ｄ）は、内刃２とホーン５との連結構造に変更を加えた構成を示す。
【００３８】
この例では、内刃２に振動方向に貫通する係合孔２ａを備えた係合片１２を設けるとともに、この内刃２とホーン５とを連結するカプラ１３をホーン５の先端に取り付けておく。
【００３９】
そして、前記カプラ１３の中間部に、ホーン５の先端と対向するようにステー１４を設けておき、このステー１４に、ホーン５の振動方向に摺動自在で、かつ、ホーン５との最接近位置が規制装着されたロックピン１５を装着し、さらに、このロックピン１５をホーン５へ向けて押圧するセットスプリング１６を設けた構成としている。
【００４０】
このような構成とすることにより、内刃２を、その係止片１２をロックピン１５とホーン５の先端との間に、セットスプリング１６を圧縮しつつロックピン１５をホーン５から離間させて押し込む。
【００４１】
そして、係止片１２の係合孔２ａがロックピン１５と重畳させられた時点で、図２（ｄ）に示すように、セットスプリング１６の弾発力により、ロックピン１５が係合孔２ａへ係合させられる。
【００４２】
これによって、内刃２をホーン５の先端に装着することができる。
また、逆の操作によって、内刃２をホーン５から取り外すことができる。
【００４３】
図４は、本発明の第２の実施形態を示す。
本実施形態の電動カミソリ２０は、内刃２と外刃３との間に、揺動軸２１ａを中心とした両側に揺動端部を有するリンク片２１を備えたリンク機構Ｌを介装し、リンク２１片の一方の揺動端部に内刃２を連結し、リンク片２１の他方の端部に外刃３を連結し、さらに、内刃２をカプラ１３を介してホーン５に連結した構成としている。
【００４４】
このような構成とすることにより、リンク機構Ｌの作用に要理、図４に実線矢印、および、破線矢印で示すように、内刃２と外刃３を相互に逆向きに相対移動させてこれらの相対移動速度をさらに高めることができる。
【００４５】
さらに、前記実施形態においては、一組の内刃２と外刃３を用いた例について示したが、図５に示す第３の実施形態のように、これらを二組用いることも可能で、さらに、三組以上用いることも可能である。
【００４６】
なお、前記各実施形態において示した各構成部材の諸形状や組み合わせ、あるいは、寸法等は一例であって、設計要求等に基づき種々変更可能である。
【００４７】
たとえば、内刃２を固定するとともに外刃３をホーン５に連結して、固定した内刃２に外刃３を相対移動させる構成とすることもできる。
【符号の説明】
【００４８】
１  電動カミソリ
２  内刃
２ａ  係合孔
３  外刃
４  超音波発信器
５  ホーン
５ａ  係止溝
６  ケーシング
６ａ  係止爪
７  振動吸収材
８  蓄電池
９  先端カバー
９ａ  基部
９ｂ  刃装着部
１０  カプラ
１０ａ  係合片
１１  セットスプリング
１２  係止片
１３  カプラ
１４  ステー
１５  ロックピン
１６  セットスプリング
２０  電動カミソリ
２１  リンク片
２１ａ  揺動軸
Ｇ  駆動機構
Ｌ  リンク機構
【要約】
【課題】内刃と、この内刃と重畳するように設けられた外刃と、これらの内刃と外刃とを相対移動させる駆動機構とを備えた電動カミソリにおいて、内刃と外刃との相対摺動の回数や速度を極力速めて、切れ味の低下を抑制するとともに、内刃や外刃の摩耗の進行を極力抑制することを解決すべき課題とする。
【解決手段】内刃２と、この内刃と重畳するように設けられた外刃３と、これらの内刃と外刃とを相対移動させる駆動機構Ｇとを備えた電動カミソリ１であって、前記駆動機構が、超音波発信器４と、この超音波発信器の振幅方向に一体に連結され、前記超音波発信器の振幅を増幅するホーン５とを備えていることを特徴とする。
【選択図】図１【図１】
0006687958.tif 000002
【図２】
0006687958.tif 000003
【図３】
0006687958.tif 000004
【図４】
0006687958.tif 000005
【図５】
0006687958.tif 000006